(57)【要約】      （修正有）【課題】循環流路から簡易に空気を除去できるプロジェクターを提供する。【解決手段】冷却対象の熱が伝導される冷却液体の循環流路上に配置されて、冷却液体を圧送する圧送部（ポンプ６３）と、循環流路上に配置され、冷却液体を貯留する貯留部（タンク６２，７１）と、循環流路上に配置され、循環流路に冷却液体を供給可能な供給部（接続部ＣＮ）と、循環流路上に配置され、循環流路から空気を外部に排出可能な排出部（接続部ＣＮ）と、を備え、供給部を介して冷却液体を循環流路に供給する際、圧送部（ポンプ６３）は、循環流路内の冷却液体を、通常動作時の流通方向とは反対方向に流通させる。【選択図】図３
2016200655.tif 000002
【特許請求の範囲】
【請求項１】
冷却対象の熱が伝導される冷却液体の循環流路上に配置されて、前記冷却液体を圧送する圧送部と、
前記循環流路上に配置され、前記冷却液体を貯留する貯留部と、
前記循環流路上に配置され、前記循環流路に前記冷却液体を供給可能な供給部と、
前記循環流路上に配置され、前記循環流路から空気を外部に排出可能な排出部と、を備え、
前記供給部を介して前記冷却液体を前記循環流路に供給する際、前記圧送部は、前記循環流路内の前記冷却液体を、通常動作時の流通方向とは反対方向に流通させることを特徴とするプロジェクター。
【請求項２】
請求項１に記載のプロジェクターにおいて、
前記圧送部が前記冷却液体を前記反対方向に流通させる際、前記冷却液体は、前記貯留部内を鉛直方向下側から鉛直方向上側へ流通することを特徴とするプロジェクター。
【請求項３】
請求項１又は請求項２に記載のプロジェクターにおいて、
前記供給部及び前記排出部は、前記循環流路内に前記冷却液体を供給する液体供給装置が接続可能に構成されていることを特徴とするプロジェクター。
【請求項４】
請求項１から請求項３のいずれか一項に記載のプロジェクターにおいて、
前記供給部に設けられ、流通する前記冷却液体をろ過するフィルターを有することを特徴とするプロジェクター。
【請求項５】
請求項３又は請求項４に記載のプロジェクターにおいて、
前記圧送部及び前記貯留部を接続して、前記循環流路を形成する複数の流通管を備え、
前記供給部は、前記複数の流通管のうち、前記圧送部が前記冷却液体を前記反対方向に流通させる際の前記圧送部の上流側に接続される流通管に設けられていることを特徴とするプロジェクター。
【請求項６】
請求項１から請求項５のいずれか一項に記載のプロジェクターにおいて、
前記循環流路上に配置され、前記冷却液体に前記冷却対象の熱を伝導する第１伝導部と、
前記循環流路上に配置され、前記冷却液体に伝導された熱を前記循環流路外に伝導する第２伝導部と、を有することを特徴とするプロジェクター。
【請求項７】
請求項１から請求項６のいずれか一項に記載のプロジェクターにおいて、
当該プロジェクターは、前記循環流路を２つ備え、
それぞれの前記循環流路は、前記冷却液体の供給を同時に実施可能な構成であることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターの構成として、液状の冷却媒体を循環させて、光変調装置としての液晶パネルや出射側偏光板を冷却する冷却ユニットを備える構成が提案されている（例えば、特許文献１参照）。
【０００３】
この特許文献１に記載のプロジェクターでは、冷却ユニットは、冷却装置、タンク、ポンプ及びラジエターと、これらを接続して冷却媒体の循環流路を形成する配管と、を備える。これらのうち、冷却装置は、ポンプによって圧送される冷却媒体により、冷却対象である液晶パネル及び出射側偏光板から伝導される熱を冷却し、これらの冷却に供せられて熱せられた冷却媒体は、ラジエターを流通することにより放熱される。
このような冷却ユニットの配管には、外部から冷却媒体を交換及び補充するための供給用継手及び排出用継手が設けられている。これら継手に冷却媒体交換用カートリッジが接続された状態にてポンプが駆動されると、冷却ユニットの冷却媒体が排出用継手から当該カートリッジ内の排出用タンクに排出され、当該カートリッジ内の供給用タンクから供給用継手を介して冷却ユニットに新たな冷却媒体が供給される。
【先行技術文献】
【特許文献】
【０００４】
【特許文献１】特開２００５−２９２６６９号公報
【発明の概要】
【発明が解決しようとする課題】
【０００５】
ところで、冷却媒体の循環流路を有するプロジェクターを使用していると、冷却媒体が蒸発する等して配管内に空気が少なからず混入する。このような空気は、上記冷却対象の冷却効率を下げる要因の１つとなる。
これに対し、上記特許文献１に記載のプロジェクターのように、冷却媒体を補充及び交換することにより、配管内の空気を取り除こうとすると、冷却媒体の流通過程にて当該空気がタンクに流入されてしまう場合がある。このような場合、空気はタンク内の上側部分に留まり続けてしまい、取り除くことが困難である。このようなタンク内に留まる空気を除去し、循環流路内を冷却媒体で満たそうとすると、専用の設備が必要となるという問題がある。
【０００６】
本発明は、上記課題の少なくとも一部を解決することを目的としたものであり、循環流路から簡易に空気を除去できるプロジェクターを提供することを目的の１つとする。
【課題を解決するための手段】
【０００７】
本発明の一態様に係るプロジェクターは、冷却対象の熱が伝導される冷却液体の循環流路上に配置されて、前記冷却液体を圧送する圧送部と、前記循環流路上に配置され、前記冷却液体を貯留する貯留部と、前記循環流路上に配置され、前記循環流路に前記冷却液体を供給可能な供給部と、前記循環流路上に配置され、前記循環流路から空気を外部に排出可能な排出部と、を備え、前記供給部を介して前記冷却液体を前記循環流路に供給する際、前記圧送部は、前記循環流路内の前記冷却液体を、通常動作時の流通方向とは反対方向に流通させることを特徴とする。
【０００８】
なお、圧送部としては、ポンプが例示され、貯留部としては、タンクが例示される。
上記一態様によれば、供給部及び排出部を介して循環流路に冷却液体を補充又は交換する場合、循環流路内の冷却液体は、圧送部によって通常動作時の流通方向とは反対方向に流通される。このため、循環流路内の冷却液体（供給部から供給された冷却液体を含む）は、当該通常動作時に流出口として機能する貯留部の部位から当該貯留部内に流入し、当該通常動作時に流入口として機能する貯留部の部位から当該貯留部外に流出される。この貯留部内に空気が溜まっていた場合には、冷却液体とともに貯留部外に流出される。そして、循環流路内の冷却液体及び空気は、当該循環流路を上記反対方向に流通して、排出部を介して循環流路の外部に排出される。これによれば、貯留部の内部に溜まった空気を、冷却液体とともに外部に排出できる。従って、循環流路内の空気を簡易に除去できる。
【０００９】
上記一態様では、前記圧送部が前記冷却液体を前記反対方向に流通させる際、前記冷却液体は、前記貯留部内を鉛直方向下側から鉛直方向上側へ流通することが好ましい。
上記一態様によれば、貯留部の内部において鉛直方向上側の部位に溜まった空気を外部に排出できる。従って、循環流路内の空気を確実に除去できる。
【００１０】
上記一態様では、前記供給部及び前記排出部は、前記循環流路内に前記冷却液体を供給する液体供給装置が接続可能に構成されていることが好ましい。
上記一態様によれば、供給部及び排出部に液体供給装置を接続し、循環流路内の冷却液体が上記反対方向に流通するように圧送部を動作させることにより、供給部を介して液体供給装置から冷却液体を循環流路に確実に供給できる他、当該循環流路から排出部を介して冷却液体とともに上記空気を液体供給装置、すなわち、循環流路の外部に排出できる。従って、循環流路内の空気を確実に除去できる。
【００１１】
上記一態様では、前記供給部に設けられ、流通する前記冷却液体をろ過するフィルターを有することが好ましい。
ここで、循環流路内には、流通管内に付着していたり、供給された冷却液体に含まれる等して異物（ごみ等）が混入する場合がある。このような異物が圧送部に侵入すると、圧送部が目詰まりを起こす等、圧送部の動作に悪影響を及ぼす可能性がある。このため、循環流路内に冷却液体をろ過するフィルターを別途設け、当該フィルターを適宜交換する等して、上記異物を除去する必要があった。
これに対し、上記一態様では、排出部から循環流路内の冷却液体及び空気が排出され、供給部から循環流路内に冷却液体が供給される際に、フィルターを介した冷却液体を循環流路内に供給できる。これによれば、異物が含まれる冷却液体を、清浄な冷却液体に交換できる。従って、循環流路を清浄な冷却液体によって満たすことができる他、メンテナンスの手間を省くことができる。
【００１２】
上記一態様では、前記圧送部及び前記貯留部を接続して、前記循環流路を形成する複数の流通管を備え、前記供給部は、前記複数の流通管のうち、前記圧送部が前記冷却液体を前記反対方向に流通させる際の前記圧送部の上流側に接続される流通管に設けられていることが好ましい。
ここで、上記のように、異物が混入した冷却液体が圧送部に流入されると、圧送部に目詰まりが生じる可能性がある。
これに対し、上記一態様では、上記供給部は、循環流路に冷却液体を供給する際の圧送部の上流側に接続される流通管に設けられている。このため、清浄な冷却液体を圧送部に流通させることができるので、圧送部が目詰まり等を起こすことなく、循環流路内に冷却液体を供給できる。従って、冷却装置、ひいては、プロジェクターを安定して動作させることができる。
【００１３】
上記一態様では、前記循環流路上に配置され、前記冷却液体に前記冷却対象の熱を伝導する第１伝導部と、前記循環流路上に配置され、前記冷却液体に伝導された熱を前記循環流路外に伝導する第２伝導部と、を有することが好ましい。
上記一態様によれば、第１伝導部によって、循環流路内を循環する冷却液体に冷却対象の熱を伝導でき、第２伝導部によって、冷却液体に伝導された熱を循環流路外に伝導できる。これによれば、循環流路を介して冷却対象の熱を他の部位に伝導させることができる。従って、例えば放熱効率がよい部位にて冷却対象の熱を放熱でき、当該冷却対象を効率よく冷却できる。
【００１４】
上記一態様では、当該プロジェクターは、前記循環流路を２つ備え、それぞれの前記循環流路は、前記冷却液体の供給を同時に実施可能な構成であることが好ましい。
このような構成としては、例えば、１つの圧送部が、各循環流路に冷却液体を供給する際、一方の循環流路内の冷却液体、及び、他方の循環流路内の冷却液体のそれぞれを圧送して、上記反対方向に流通させる構成が挙げられる。また例えば、当該構成として、各循環流路に圧送部を設け、各圧送部の動作を制御する制御装置を設け、当該制御装置が各圧送部を制御して、各循環流路内の冷却液体を同時に上記反対方向に流通させる構成を例示できる。
上記一態様によれば、各循環流路への冷却液体の供給を同時に実施可能であるので、各循環流路への冷却液体の供給を個別に行う場合に比べて、プロジェクターの製造やメンテナンスに要する時間を短縮できる。
【図面の簡単な説明】
【００１５】
【図１】本発明の一実施形態に係るプロジェクターを示す概要斜視図。
【図２】上記実施形態における画像形成装置の構成を示す模式図。
【図３】上記実施形態における冷却装置の構成を示すブロック図。
【図４】上記実施形態におけるタンクを示す模式図。
【図５】上記実施形態における接続部を示す模式図。
【図６】上記実施形態における接続部を示す模式図。
【図７】上記実施形態における制御装置の構成を示すブロック図。
【図８】上記実施形態における冷却装置の変形を示すブロック図。
【発明を実施するための形態】
【００１６】
以下、本発明の一実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。
このプロジェクター１は、詳しくは後述するが、冷却対象が配置された密閉筐体内の冷却空気を循環させて当該冷却対象を冷却し、当該冷却対象を冷却して熱を帯びた冷却空気の熱を、密閉筐体内外を循環する第１液体を介して第２液体に伝導させ、密閉筐体外で当該第２液体を循環させる過程にて、当該第２液体の熱を放熱し、これにより、密閉筐体内の冷却対象の熱を密閉筐体外で放熱する機能を有する。
このプロジェクター１は、図１に示すように、外装を構成する外装筐体２を備える。
【００１７】
外装筐体２は、天面部２１、底面部２２、正面部２３、背面部２４及び左右の側面部２５，２６を有する略直方体形状に形成されている。
天面部２１には、使用者がプロジェクター１を把持したり、天井等に設置された器具にプロジェクター１を固定する際に利用される一対の把手２１１が設けられている。また、天面部２１には、後述する光源装置３１Ａ，３１Ｂを外装筐体２内に交換可能に収納するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
これらの他、図示を省略するが、右側の側面部２６には、外装筐体２外の空気を内部に導入する導入口が形成され、左側の側面部２５には、外装筐体２内の空気を外部に排出する排気口が形成されている。
【００１８】
［プロジェクターの内部構成］
図２は、プロジェクター１が備える画像形成装置３の構成を示す模式図である。
プロジェクター１は、上記外装筐体２の他、図２に示すように、当該外装筐体２内に配置される画像形成装置３を備える。この他、図示を省略するが、プロジェクター１は、当該プロジェクター１を制御する制御装置９（図３参照）、及び、当該プロジェクター１を構成する電子部品に電力を供給する電源装置を備える。
【００１９】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５及び光学部品用筐体３６を備える。
これらのうち、光学部品用筐体３６は、内部に照明光軸Ａｘが設定された箱状筐体であり、照明装置３１、均一化装置３２、色分離装置３３及び電気光学装置３４は、光学部品用筐体３６内における照明光軸Ａｘ上の位置に配置される。また、投射光学装置３５は、光学部品用筐体３６外に位置するものの当該照明光軸Ａｘに応じて配置される。
【００２０】
照明装置３１は、互いに対向配置される一対の光源装置３１Ａ，３１Ｂと、当該一対の光源装置３１Ａ，３１Ｂの間に配置される反射ミラー３１Ｃと、を備える。
一対の光源装置３１Ａ，３１Ｂは、光源ランプ３１１及びリフレクター３１２と、これらを内部に収納する収納体３１３とをそれぞれ備える。そして、これら光源装置３１Ａ，３１Ｂは、反射ミラー３１Ｃに向けて光を出射する。
反射ミラー３１Ｃは、光源装置３１Ａ，３１Ｂから入射される光をそれぞれ同方向に反射させ、これにより、当該光を均一化装置３２に入射させる。
【００２１】
均一化装置３２は、照明装置３１から出射された光束の中心軸に対する直交面内の照度を均一化する。この均一化装置３２は、調光装置３２０、ＵＶフィルター３２１、第１レンズアレイ３２２、シネマフィルター３２３、第２レンズアレイ３２４、偏光変換素子３２５及び重畳レンズ３２６を有する。これらのうち、偏光変換素子３２５は、入射された光の偏光方向を一種類に揃えるものであり、冷却対象とされる光学部品の１つである。
色分離装置３３は、均一化装置３２から入射される光束を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７を有する。
【００２２】
電気光学装置３４は、分離された各色光を画像情報に応じて変調した後、変調された各色光を合成する。この電気光学装置３４は、それぞれ色光毎に設けられる光変調装置としての液晶パネル３４１（赤、緑及び青用の液晶パネルを、それぞれ３４１Ｒ，３４１Ｇ，３４１Ｂとする）、フィールドレンズ３４０、入射側偏光板３４２及び出射側偏光板３４３と、１つの色合成装置３４４と、を有する。これらのうち、色合成装置３４４としては、ダイクロイックプリズムを採用できる。また、各フィールドレンズ３４０は、入射側偏光板３４２と、反射ミラー３３４〜３３６のうち対応する反射ミラーとの間に配置されている。
投射光学装置３５は、色合成装置３４４により合成された光束（画像を形成する光束）を上記被投射面上に拡大投射する投射レンズである。このような投射光学装置３５としては、鏡筒内に複数のレンズが配置された組レンズを採用できる。
【００２３】
［冷却装置の構成］
図３は、冷却装置４の概略構成を示すブロック図である。
プロジェクター１は、上記構成の他、外装筐体２内に配置される冷却装置４を備える。この冷却装置４は、図３に示すように、密閉筐体５１により形成される密閉空間Ｓ内の冷却空気（第１流体）を循環させることにより、当該密閉空間Ｓ内に配置された冷却対象を冷却し、これら冷却対象の冷却に供せられた冷却空気の熱を、循環流路（以下、第１循環流路という）を循環する第１液体に伝導して密閉筐体５１外に流出させ、当該第１液体から他の循環流路（以下、第２循環流路という）を流通する第２液体に伝導して放熱するものである。なお、第１液体及び第２液体は、それぞれ異なる循環流路を流通する液体であることを示す呼称であり、それぞれ同じ成分の液体であってもよい。このような液体としては、水やプロピレングリコール等の不凍液を例示できる。
このような冷却装置４は、循環冷却装置５、吸熱装置６、放熱装置７及び熱交換装置８を備える。
【００２４】
［循環冷却装置の構成］
循環冷却装置５は、密閉筐体５１内の冷却空気を循環させて、当該密閉筐体５１内に配置された上記冷却対象を冷却する。この循環冷却装置５は、密閉筐体５１の他、循環ファン５２及び冷却ファン５３を備える。
密閉筐体５１は、冷却対象である電気光学装置３４及び偏光変換素子３２５と、循環ファン５２及び冷却ファン５３と、後述する吸熱装置６を構成する吸熱器６１と、が収納される筐体であり、これらが配置される密閉空間Ｓを内部に形成する。この密閉筐体５１は、当該密閉筐体５１外の空気が内部に流入しにくい密閉構造として構成されている。
この密閉筐体５１は、当該密閉筐体５１の外縁を構成する外壁部５１Ａと、内側の面を構成する内壁部５１Ｂと、を有し、これら外壁部５１Ａ及び内壁部５１Ｂが組み合わされることにより、密閉筐体５１内には、環状の循環流路が形成される。この循環流路上に、上記冷却対象は、配置されている。また、密閉筐体５１は、フィールドレンズ３４０を収納する開口部を少なくとも一つ有している。換言すると、フィールドレンズ３４０のうち、少なくとも一つは、上記光学部品用筐体３６とともに、密閉筐体５１の一部を形成している。なお、本実施形態では、当該循環流路において電気光学装置３４は上流側に位置し、偏光変換素子３２５は下流側に位置しているが、これらが並列に配置されていてもよい。
【００２５】
循環ファン５２は、密閉筐体５１内の冷却空気を吸引して吐出することにより、当該密閉筐体５１内を循環させる。この循環ファン５２は、本実施形態では軸流ファンにより構成され、後述する吸熱器６１近傍に２つ設けられている。しかしながら、これに限らず、循環ファン５２は、シロッコファンにより構成されていてもよく、循環ファン５２の数も適宜変更可能であり、更には分散して配置されてもよい。
冷却ファン５３は、密閉筐体５１内の冷却空気を吸引して、ダクト（図示省略）を介して上記冷却対象に送出する。この冷却ファン５３は、上記電気光学装置３４の各液晶パネル３４１に応じて設けられ、当該各液晶パネル３４１に冷却空気を送出する冷却ファン５３Ｒ，５３Ｇ，５３Ｂと、偏光変換素子３２５に冷却空気を送出する冷却ファン５３Ｐを含む。このような冷却ファン５３は、本実施形態ではシロッコファンにより構成されているが、軸流ファンにより構成されてもよく、冷却ファン５３の数も適宜変更可能である。
【００２６】
［吸熱装置の構成］
吸熱装置６は、上記密閉筐体５１内の冷却空気から熱を吸熱し、当該熱が伝導された冷却液体である第１液体を、密閉筐体５１外に位置する熱交換装置８に流通させる。この吸熱装置６は、吸熱器６１、タンク６２及びポンプ６３と、複数の流通管６４と、を有し、これらにより、本発明の循環流路の１つである上記第１循環流路が形成される。
これらのうち、流通管６４（６４１〜６４４）は、吸熱器６１、タンク６２及びポンプ６３と、後述する熱交換装置８とを、第１液体が内部を流通可能に接続する。これら流通管６４１〜６４４のうち、ポンプ６３と熱交換装置８とを接続する流通管６４４には、冷却液体を供給する液体供給装置ＬＡ（図６参照）が接続される接続部ＣＮが設けられている。この接続部ＣＮについては、後に詳述する。
【００２７】
吸熱器６１は、上記密閉筐体５１内に配置され、タンク６２及びポンプ６３は、当該密閉筐体５１外に配置されている。
これらのうち、吸熱器６１は、流通管６４１を介してタンク６２と接続され、また、流通管６４４を介して熱交換装置８と接続されている。この吸熱器６１は、密閉筐体５１内を循環する冷却空気から熱を吸熱して当該冷却空気を冷却し、吸熱した熱を、内部を流通する第１液体に伝導させる。すなわち、吸熱器６１は、第１循環流路において本発明の第１伝導部として機能する。この吸熱器６１により熱せられた第１液体は、流通管６４１を介してタンク６２に向けて流通する。
【００２８】
図４は、タンク６２を示す模式図である。
タンク６２は、第１循環流路において本発明の貯留部として機能し、流通管６４２を介してポンプ６３と接続されている。このタンク６２は、流通管６４１〜６４４を介して循環する第１液体を一時的に貯留する。このタンク６２は、図４に示すように、鉛直方向上側の位置に、流通管６４１を流通した第１液体が流入する流入口６２１を有する他、鉛直方向下側の位置に、内部に貯留された第１液体を流通管６４２に流出する流出口６２２を有する。このため、吸熱装置６の通常動作時には、第１液体は、鉛直方向上側に位置する流入口６２１からタンク６２内に流入し、鉛直方向下側に位置する流出口６２２から排出される。
【００２９】
図３に戻り、ポンプ６３は、流通管６４２を介して流入された第１液体を圧送して、当該第１液体を循環させる。このポンプ６３は、吸熱装置６の各構成により形成される第１循環流路と、後述する放熱装置７の各構成により形成される第２循環流路とに跨って配置され、流入される第１液体を第１循環流路に圧送するとともに、流入される第２液体を第２循環流路に圧送する。具体的に、ポンプ６３は、流通管６４３を介して第１液体を熱交換装置８に圧送し、後述する流通管７４３を介して第２液体を後述する放熱器７３に圧送する。すなわち、ポンプ６３は、第１循環流路及び第２循環流路のそれぞれにおいて本発明の圧送部として機能する。
【００３０】
そして、熱交換装置８に流通した第１液体は、当該熱交換装置８によって冷却されて、流通管６４４を介して吸熱器６１に再度流通する。これにより、温度が低い第１液体が吸熱器６１に流通し、当該吸熱器６１にて密閉筐体５１内の冷却空気から吸熱された熱を帯びた第１液体が、吸熱器６１から流通管６４１を介してタンク６２に流入される。このように、吸熱装置６では、ポンプ６３が駆動されることによって第１液体が循環される。
なお、熱交換装置８の構成については、後に詳述する。
【００３１】
［放熱装置の構成］
放熱装置７は、上記密閉筐体５１の外部に設けられ、熱交換装置８によって第１液体の熱が伝導される第２液体を循環させて、当該第２液体の熱を放熱する。この放熱装置７は、上記密閉筐体５１の外部に配置されており、上記ポンプ６３を含む他、タンク７１、放熱器７３、流通管７４及び冷却ファン７５を有し、これらにより、本発明の循環流路である上記第２循環流路が形成される。
これらのうち、流通管７４（７４１〜７４４）は、タンク７１、上記ポンプ６３及び放熱器７３と、熱交換装置８とを、第２液体が内部を流通可能に接続する。これら流通管７４１〜７４４のうち、ポンプ６３と放熱器７３とを接続する流通管７４３には、流通管６４３に設けられた接続部ＣＮと同様の接続部ＣＮが設けられている。
【００３２】
タンク７１は、第２循環流路において本発明の貯留部として機能し、放熱装置７を循環する第２液体を一時的に貯留する。このタンク７１は、上記タンク６２と同様の構成を有し、図示を省略するが、鉛直方向上側の位置に、熱交換装置８を流通した第２液体が流通管７４１を介して流入される流入口を有する他、鉛直方向下側の位置に、流通管７４２を介してポンプ６３に向けて第２液体が流出される流出口を有する。
放熱器７３は、第２循環流路において本発明の第２伝導部として機能する。この放熱器７３は、流通管７４３を介してポンプ６３から内部を流通する第２液体の熱を放熱し、これにより、当該第２液体を冷却するラジエターである。この放熱器７３により冷却された第２液体は、流通管７４４を介して熱交換装置８に流通される。
【００３３】
このように構成された放熱装置７では、ポンプ６３が駆動されると、流通管７４によってそれぞれ接続された放熱器７３、熱交換装置８及びタンク７１を、第２液体が循環する。これにより、熱交換装置８にて第２液体に伝導された熱が、放熱器７３によって放熱される。
なお、放熱器７３には、冷却ファン７５によって側面部２６の導入口（図示省略）から導入された外装筐体２外の空気が流通し、これにより、放熱器７３が冷却される。そして、当該放熱器７３の冷却に供されて熱せられた空気は、側面部２５に形成された排気口（図示省略）を介して外装筐体２外に排出される。
【００３４】
［熱交換装置の構成］
熱交換装置８は、上記のように、吸熱装置６を循環する第１液体（上記密閉筐体５１内の冷却空気の熱が伝導された第１液体）から受熱し、受熱した熱を、放熱装置７を循環する第２液体に伝導して、第１液体と第２液体との間で熱を交換する。この熱交換装置８は、第１液体が流通する受熱部８１と、放熱部８２と、これら受熱部８１及び放熱部８２のそれぞれと接続される熱電変換素子８３と、を備える。
受熱部８１は、内部に複数の微細流路を有する。そして、流通管６４３を介してポンプ６３から圧送された第１液体が当該複数の微細流路を流通することにより、当該第１液体の熱が受熱部８１に伝導され、当該第１液体が冷却される。換言すると、受熱部８１は、内部を流通する第１液体の熱を放熱して、当該第１液体を冷却する。なお、冷却された第１液体は、流通管６４４を介して吸熱器６１に送られる。
【００３５】
熱電変換素子８３は、受熱部８１によって第１液体から伝導された熱を放熱部８２に伝導する。この熱電変換素子８３は、本実施形態では、吸熱面が受熱部８１に熱伝導可能に接続され、放熱面が放熱部８２に熱伝導可能に接続されるペルチェ素子によって構成されている。このような熱電変換素子８３の熱伝導状態は、制御装置９によって、例えば密閉筐体５１内外の温度に基づいて制御される。
放熱部８２は、内部に複数の微細流路を有し、流通管７４４を介して放熱器７３から流通される第２液体が当該複数の微細流路を流通することにより、放熱部８２に伝導された熱が第２液体に伝導される。換言すると、放熱部８２は、受熱部８１から熱電変換素子８３を介して伝導された熱、すなわち、冷却対象の熱を、内部を流通する第２液体に伝導する。なお、熱が伝導された第２液体は、流通管７４１を介してタンク７１に送られる。
このように、熱交換装置８では、第１循環流路からすると、第１液体の熱を第１循環流路外に伝導することから、当該熱交換装置８（特に受熱部８１）は、本発明の第２伝導部として機能する。一方、熱交換装置８では、第２循環流路からすると、第１液体から伝導された熱（すなわち、冷却対象の熱）を第２液体に伝導することから、当該熱交換装置８（特に放熱部８２）は、本発明の第１伝導部として機能する。
【００３６】
［接続部の構成］
図５及び図６は、接続部ＣＮを示す模式図である。これらのうち、図５は、液体供給装置ＬＡが接続されていない場合の接続部ＣＮ、すなわち、冷却液体を供給しない場合の接続部ＣＮを示し、図６は、液体供給装置ＬＡが接続されている場合の接続部ＣＮ、すなわち、冷却液体を供給する場合の接続部ＣＮを示している。
接続部ＣＮは、上記のように、流通管６４３，７４３に設けられている。これら接続部ＣＮのうち、流通管６４３に設けられた接続部ＣＮは、図５及び図６に示すように、液体供給装置ＬＡ（図６）と接続される排出部ＣＮ１及び供給部ＣＮ２と、当該液体供給装置ＬＡにより上記第１循環流路内の冷却液体（第１液体）を交換する際に流通管６４３内を流通する冷却液体の流通方向を切り替える流路切替部ＣＮ３，ＣＮ４と、を備える。
なお、詳しくは後述するが、液体供給装置ＬＡにより冷却液体が各循環流路に供給される場合には、制御装置９による制御の下、ポンプ６３により、各循環流路の冷却液体の流通方向が通常動作時とは反対方向となる。
【００３７】
流通管６４３に設けられた接続部ＣＮの排出部ＣＮ１及び供給部ＣＮ２のうち、供給部ＣＮ２は、当該流通管６４３内、ひいては、第１循環流路内に冷却液体を供給する部位であり、排出部ＣＮ１は、当該流通管６４３、ひいては、第１循環流路から冷却液体及び空気を外部に排出する部位である。これら排出部ＣＮ１及び供給部ＣＮ２は、流通管６４３からそれぞれ円筒状に突出しており、内部に、冷却液体が流通可能な排出口ＣＮ１１及び供給口ＣＮ２１が形成されている。
これらのうち、排出部ＣＮ１は、流通管６４３において熱交換装置８側に位置し、供給部ＣＮ２は、ポンプ６３側に位置している。換言すると、排出口ＣＮ１１及び供給口ＣＮ２１は、プロジェクター１の通常使用時（冷却装置４の通常動作時）においてポンプ６３の下流側に位置し、供給口ＣＮ２１が、排出口ＣＮ１１よりポンプ６３に近い位置に配置されている。
【００３８】
なお、供給部ＣＮ２には、フィルターＣＮ２２が設けられており、流通管６４３（第１循環流路）に供給される冷却液体は、フィルターＣＮ２２を通過した後、供給口ＣＮ２１を介して流通管６４３内に流入される。なお、本実施形態では、フィルターＣＮ２２は、流通管６４３からの供給部ＣＮ２の突出方向先端部に位置している。しかしながら、これに限らず、フィルターＣＮ２２を介した冷却液体が流通管６４３内に供給されれば、フィルターＣＮ２２の位置は問わない。
これら排出部ＣＮ１及び供給部ＣＮ２は、図示を省略するが、外装筐体２における側面（例えば、左右の側面部２５，２６や背面部２４）に露出して設けられ、通常は、カバー等により覆われている。
【００３９】
なお、液体供給装置ＬＡは、第１液体又は第２液体となる冷却液体を、上記冷却装置４（具体的には吸熱装置６及び放熱装置７）に供給する装置である。この液体供給装置ＬＡは、詳しい図示を省略するが、排出口ＣＮ１１を介して排出される冷却液体及び空気を貯留し、供給口ＣＮ２１を介して新たな冷却液体を供給する。この新たな冷却液体の供給口ＣＮ２１内への供給は、ポンプ６３の吸引によって行われるが、液体供給装置ＬＡに設けられたポンプが行ってもよい。このような新たな冷却液体は、未使用の冷却液体でもよく、既に利用されていた冷却液体を、フィルター（例えばフィルターＣＮ２２）を介してろ過した冷却液体でもよい。
【００４０】
流路切替部ＣＮ３，ＣＮ４は、流通管６４３における冷却液体の流路を切り替える。
これらのうち、流路切替部ＣＮ３は、排出部ＣＮ１に応じた位置に配置されている。この流路切替部ＣＮ３は、当該流路切替部ＣＮ３内の流路を、冷却液体を流通管６４３に流通させる流路（図５においてＡ２方向に流通した冷却液体をＡ３方向に流通させる流路）と、排出口ＣＮ１１に流通させる流路（図６においてＢ１方向に流通した冷却液体をＢ２方向に流通させる流路）とのいずれかに切り替える。流路切替部ＣＮ３内の流路が、前者の流路に切り替えられている場合には、図５に示すように、排出口ＣＮ１１は閉塞される。
【００４１】
流路切替部ＣＮ４は、供給部ＣＮ２に応じた位置に配置されている。この流路切替部ＣＮ４は、当該流路切替部ＣＮ４内の流路を、流通管６４３を通って流路切替部ＣＮ４に到達した冷却液体をそのまま流通させる流路（図５においてＡ１方向に流通した冷却液体をＡ２方向に流通させる流路）と、液体供給装置ＬＡから供給される冷却液体を供給部ＣＮ２からポンプ６３側に流通させる流路（図６においてＣ１方向に流通した冷却液体をＣ２方向に流通させる流路）とのいずれかに切り替える。流路切替部ＣＮ４内の流路が、前者の流路に切り替えられている場合には、図５に示すように、供給口ＣＮ２１は閉塞される。
【００４２】
このように、冷却液体が供給されない場合には、図５に示すように、冷却液体は、流通管６４３を、Ａ１〜Ａ３方向に流通する。一方、冷却液体が新たに供給される場合には、第１循環流路の冷却液体は、Ｂ１方向及びＢ２方向に流通し、新たに供給される冷却液体は、Ｃ１方向及びＣ２方向に流通する。
なお、流通管７４３に設けられた接続部ＣＮも、上記流通管６４３に設けられた接続部ＣＮと同様の構成を有する。当該流通管７４３に設けられた接続部ＣＮについては、上記説明における流通管６４３、熱交換装置８、第１循環流路及び第１液体と記載された箇所を、流通管７４３、放熱器７３、第２循環流路及び第２液体と読み替えればよい。
【００４３】
［制御装置の構成］
図７は、制御装置９の構成を示すブロック図である。
制御装置９は、ＣＰＵ（Central Processing Unit）等の処理回路や、メモリー等の記憶装置を有し、プロジェクター１全体の動作を制御する。制御装置９は、例えば、上記接続部ＣＮに上記液体供給装置ＬＡが接続され、使用者によりプロジェクター１の操作装置（図示省略）に対して所定の操作が行われた場合に、冷却液体を内部に導入する導入処理を実行する。このため、制御装置９は、図７に示すように、上記記憶装置により構成される記憶部９１と、当該記憶部９１に記憶されたプログラムを上記処理回路が実行することにより実現される操作判定部９２、接続判定部９３、満量判定部９４、動作制御部９５及び報知部９６を有する。
【００４４】
記憶部９１は、プロジェクター１の動作に必要なプログラムやデータを記憶している。例えば、記憶部９１は、後述する導入処理を実行するためのプログラムを記憶している。
操作判定部９２は、図示しない操作装置から入力される操作信号に基づいて、使用者による操作内容を判定する。例えば、操作判定部９２は、液体供給装置ＬＡの冷却液体を内部に導入する導入処理を実行させる操作が使用者により行われたか否かを判定する。
接続判定部９３は、上記液体供給装置ＬＡが接続部ＣＮに接続されているか否かを判定する。この際、接続判定部９３は、接続部ＣＮのうち、少なくとも一方の接続部ＣＮに液体供給装置ＬＡが接続されていれば、液体供給装置ＬＡが接続されていると判定する。
【００４５】
満量判定部９４は、液体供給装置ＬＡが接続された循環流路が冷却液体により満たされたか否かを判定する。例えば、満量判定部９４は、排出口ＣＮ１１に設けられたセンサーによる検出結果に基づいて、当該センサーにより空気が検出されなくなったと判定された場合に、当該循環流路が冷却液体により満たされたと判定する。また、満量判定部９４は、供給口ＣＮ２１を介して供給した冷却液体の液量が供給先の循環流路内の容積を超えた場合に、当該循環流路が新たな冷却液体により満たされたと判定する。なお、当該新たな冷却液体には、循環流路から排出された冷却液体を上記フィルターによりろ過したものも含まれる。
【００４６】
動作制御部９５は、プロジェクター１の各種構成の動作を制御する。例えば、動作制御部９５は、密閉筐体５１内外の温度に基づいて、上記熱交換装置８の熱電変換素子８３の動作を制御して、密閉筐体５１内の温度を調整する。
また、動作制御部９５は、操作判定部９２によって上記導入処理を実行させる操作が行われたと判定され、更に、接続判定部９３によって接続部ＣＮに液体供給装置ＬＡが接続されていると判定されると、まず、各接続部ＣＮの流路切替部ＣＮ３，ＣＮ４を動作させる。具体的に、動作制御部９５は、液体供給装置ＬＡが接続されていると判定された接続部ＣＮの流路切替部ＣＮ３内の流路を、排出口ＣＮ１１に冷却流体を流通させる流路に切り替える。また、動作制御部９５は、当該接続部ＣＮの流路切替部ＣＮ４内の流路を、液体供給装置ＬＡから供給される冷却液体を循環流路に流通させる流路に切り替える。なお、液体供給装置ＬＡが接続されていない接続部ＣＮにおいては、上記流路の切替は実施されない。
【００４７】
流路切替部ＣＮ３，ＣＮ４による流路切替が行われると、動作制御部９５は、上記液体供給装置ＬＡが接続された接続部ＣＮが含まれる循環流路内の冷却液体が通常動作時とは反対方向に流通されるように、ポンプ６３を駆動させる。具体的に、動作制御部９５は、ポンプ６３を通常動作時とは逆回転させる。これにより、ポンプ６３には、液体供給装置ＬＡから供給される新たな冷却液体が、供給部ＣＮ２及び流通管６４３を介して流入し、更に、当該冷却液体がタンク６２に向けて流通管６４２内を流通する。すなわち、ポンプ６３が逆回転されることにより、第１循環流路及び第２循環流路における第１液体及び第２液体の流通方向が、通常動作時とは反対方向となる。
このタンク６２には、鉛直方向下側に位置する流出口６２２から冷却液体が内部に流入する。そして、タンク６２内が冷却液体によって満たされると、溢れた冷却液体が流入口６２１から流通管６４１を介して吸熱器６１に流通する。このように冷却液体は、タンク６２内を鉛直方向下側から鉛直方向上側に流通する。
この後、供給された冷却液体は、吸熱器６１、流通管６４４及び熱交換装置８を通常動作時の流通方向とは反対方向に更に流通し、流通管６４３に設けられた接続部ＣＮの排出口ＣＮ１１から液体供給装置ＬＡに排出される。この際、第１循環流路内の空気（例えばタンク６２内に溜まった空気）も、排出口ＣＮ１１から液体供給装置ＬＡに排出される。これにより、第１循環流路が、新たな冷却液体にて略満たされる。
【００４８】
なお、第２循環流路を構成する流通管７４３の接続部ＣＮに、液体供給装置ＬＡが接続されている場合も、ポンプ６３が通常動作時とは逆回転されることにより、第２循環流路内の第２液体、及び、当該液体供給装置ＬＡから供給された新たな冷却液体が、第２循環流路における通常動作時の第２液体の流通方向とは反対方向に流通される。すなわち、新たな冷却液体が、流通管７４３、ポンプ６３、流通管７４２、タンク７１、流通管７４１、熱交換装置８、流通管７４４、放熱器７３、流通管７４３の順に流通する。そして、第２循環流路を上記反対方向に流通した第２液体及び空気は、当該流通管７４３に設けられた排出口ＣＮ１１を介して液体供給装置ＬＡに排出される。これにより、第２循環流路が、新たな冷却液体にて略満たされる。
なお、タンク７１は、鉛直方向上側に流入口を有し、また、鉛直方向下側に流出口を有するので、上記のように冷却液体が供給される際、当該冷却液体は、鉛直方向下側に位置する流出口から内部に冷却液体が流入される。すなわち、冷却液体は、タンク７１内を鉛直方向下側から鉛直方向上側に流通する。このため、タンク７１内の空気を冷却液体により流入口から流通管に排出でき、当該タンク７１内を新たな冷却液体にて満たすことができる。
【００４９】
供給口ＣＮ２１を介して供給された新たな冷却液体の液量が供給先の循環流路内の容積を超える等して、満量判定部９４によって当該循環流路内が新たな冷却液体によって満たされたと判定されると、動作制御部９５は、上記流路切替部ＣＮ３，ＣＮ４によって切り替えられた流路を元に戻す。これにより、液体供給装置ＬＡを接続部ＣＮから取り外すことができる。また、動作制御部９５は、ポンプ６３を通常時の回転方向にて回転させる。これにより、各循環流路における冷却液体（第１液体及び第２液体）の流通方向が通常動作時の流通方向と同一方向となる。
なお、冷却液体の交換ではなく、第１循環流路及び第２循環流路から空気（例えばタンク６２，７１内の空気）を除去するために冷却液体を供給する場合には、満量判定部９４によって、循環流路が冷却液体により満たされたと判定された後に、動作制御部９５が、上記流路切替、及び、通常時の回転方向でのポンプ６３の駆動を実行させてもよい。
【００５０】
報知部９６は、上記画像形成装置３によって投射される画像や、図示しない音声出力装置等により、プロジェクター１の各種情報を報知する。例えば、報知部９６は、液体供給装置ＬＡが接続されていない状態にて、上記導入処理を実行させる操作が実施された場合には、液体供給装置ＬＡが接続されていないことを示す報知情報を報知する。また、報知部９６は、上記導入処理が終了した場合や、当該導入処理の実行中に異常が生じた場合には、それぞれの状況を示す報知情報を報知する。
【００５１】
以上説明した本実施形態に係るプロジェクター１によれば、以下の効果がある。
冷却装置４の通常動作時には、タンク６２において鉛直方向上側に位置する流入口６２１から第１液体が内部に流入し、鉛直方向下側に位置する流出口６２２から第１液体が流出される。このため、タンク６２内に空気が入ってしまっていても、当該タンク６２から流出される第１液体に空気が混入することを抑制でき、このため、第１液体に空気が混入することによる冷却効率の低下を抑制できる。
一方、流通管６４３に設けられた接続部ＣＮを介して、吸熱装置６によって形成される第１循環流路に冷却液体を補充したり、当該第１循環流路の第１液体を交換したりする場合には、当該第１循環流路内の冷却液体は、ポンプ６３によって通常動作時の流通方向とは反対方向に流通される。このため、当該第１循環流路内の冷却液体は、通常動作時にタンク６２から冷却液体が流出される流出口６２２からタンク６２内に流入し、当該通常動作時にタンク６２に冷却液体が流入される流入口６２１からタンク６２外に流出する。このタンク６２内に空気が溜まっていた場合には、冷却液体とともにタンク６２外に流出される。そして、当該冷却液体及び空気は、第１循環流路を上記反対方向に流通して、排出部ＣＮ１の排出口ＣＮ１１を介して第１循環流路の外部（液体供給装置ＬＡ）に排出される。これによれば、タンク６２の内部に溜まった空気を、冷却液体とともに外部に排出できる。従って、第１循環流路内の空気を簡易に除去できる。
なお、上記効果は、タンク７１を有し、かつ、流通管７４３に接続部ＣＮが設けられた放熱装置７によって構成される第２循環流路においても同様に奏することができる。
【００５２】
冷却液体が第１循環流路に供給される際、すなわち、ポンプ６３が冷却液体を上記反対方向に流通させる際、当該冷却液体は、タンク６２内を鉛直方向下側から鉛直方向上側へ流通する。これによれば、タンク６２の内部において鉛直方向上側の部位に溜まった空気を外部に排出できる。従って、第１循環流路内の空気を確実に除去できる。なお、第２循環流路においても同様である。
【００５３】
排出部ＣＮ１及び供給部ＣＮ２は、冷却液体を供給する液体供給装置ＬＡが接続可能に構成されている。これによれば、当該排出部ＣＮ１及び供給部ＣＮ２に液体供給装置ＬＡを接続し、各循環流路内の冷却液体が上記反対方向に流通するようにポンプ６３を動作させることにより、供給部ＣＮ２を介して液体供給装置ＬＡから冷却液体を、対応する循環流路に確実に供給できる他、当該循環流路から排出部ＣＮ１を介して冷却液体とともに当該循環流路内の空気を確実に外部に排出できる。従って、各循環流路内の空気を確実に除去できる。
【００５４】
第１循環流路及び第２循環流路内には、流通管６４，７４内に付着していたり、供給された冷却液体に含まれる等して異物が混入する場合がある。このような異物がポンプ６３に侵入すると、当該ポンプ６３が目詰まりを起こす等、ポンプ６３の動作に悪影響を及ぼす可能性がある。これに対し、排出部ＣＮ１の排出口ＣＮ１１から第１循環流路内の第１液体が排出され、供給部ＣＮ２の供給口ＣＮ２１から第１循環流路内に冷却液体が供給される際に、フィルターＣＮ２２を介した冷却液体を第１循環流路内に供給できる。これによれば、異物が含まれる冷却液体を、清浄な冷却液体に交換できる。従って、第１循環流路を清浄な冷却液体によって満たすことができる他、メンテナンスの手間を省くことができる。
なお、上記効果は、同様の接続部ＣＮが流通管７４３に設けられた第２循環流路においても同様に奏することができる。
【００５５】
排出部ＣＮ１及び供給部ＣＮ２は、各循環流路に冷却液体を供給する際、すなわち、ポンプ６３が逆回転され、第１液体及び第２液体が通常時の流通方向とは反対方向に流通する際のポンプ６３の上流側に接続される流通管６４３，７４３に設けられている。このため、ポンプ６３には、清浄な冷却液体を流通させることができるので、ポンプ６３が目詰まり等を起こすことなく、各循環流路内に冷却液体を供給できる。従って、冷却装置４、ひいては、プロジェクター１を安定して動作させることができる。
【００５６】
第１循環流路においては、第１伝導部として機能する吸熱器６１によって、当該第１循環流路内を循環する第１液体に冷却対象の熱を伝導でき、第２伝導部として機能する熱交換装置８（特に受熱部８１）によって、当該第１液体に伝導された熱を第１循環流路外に位置する放熱部８２に伝導できる。また、第２循環流路においては、第１伝導部として機能する放熱部８２によって、第１液体から伝導された冷却対象の熱を、第２循環流路内を循環する第２液体に伝導でき、第２伝導部として機能する放熱器７３によって、当該第２液体に伝導された熱を第２循環流路外の空気に伝導できる。これによれば、循環流路を介して冷却対象の熱を他の部位に伝導させることができる。従って、放熱効率がよい放熱器７３にて冷却対象の熱を放熱でき、当該冷却対象を効率よく冷却できる。
【００５７】
プロジェクター１では、各接続部ＣＮの排出部ＣＮ１及び供給部ＣＮ２に液体供給装置ＬＡをそれぞれ接続し、流路切替部ＣＮ３，ＣＮ４による流路切替を行った後、ポンプ６３を逆回転させて、各循環流路を流通する冷却液体の流通方向を通常動作時とは反対方向にすることにより、各循環流路への冷却液体の供給を同時に実施可能である。これによれば、各循環流路への冷却液体の供給を個別に行う場合に比べて、プロジェクター１の製造やメンテナンスに要する時間を短縮できる。
【００５８】
［実施形態の変形］
本発明は、上記実施形態に限定されるものではなく、本発明の目的を達成できる範囲での変形、改良等は本発明に含まれるものである。
上記実施形態では、ポンプ６３は、第１循環流路の第１液体と、第２循環流路の第２液体とをそれぞれ圧送可能に構成されていた。しかしながら、本発明はこれに限らない。例えば、第１循環流路の第１液体を循環させるポンプと、第２循環流路の第２液体を循環させるポンプとを、それぞれ個別に設けてもよい。
【００５９】
図８は、冷却装置４の変形である冷却装置４Ａを示すブロック図である。
例えば、図８に示す冷却装置４Ａは、冷却装置４と同様の構成を有するが、ポンプ６３は、吸熱装置６により構成される第１循環流路の第１液体を循環させる構成とされ、放熱装置７により構成される第２循環流路の第２液体は、ポンプ６３とは別に設けられたポンプ７２によって循環される。そして、第２循環流路に冷却液体を液体供給装置ＬＡから導入する場合には、上記動作制御部９５が、ポンプ７２を通常動作時とは逆回転させる等して、第２循環流路における冷却液体の流通方向を通常動作時とは反対方向にする。この構成によれば、第１循環流路の第１液体の供給と、第２循環流路の第２液体の供給とを、個別に実施することも、また同時に実施することも可能となる。
このような冷却装置４Ａを備えるプロジェクターによっても、上記プロジェクター１と同様の効果を奏することができる。
【００６０】
上記実施形態では、冷却装置４は、第２循環流路を形成する放熱装置７を備えていた。しかしながら、本発明はこれに限らない。例えば、放熱装置７は無くてもよい。この場合、熱交換装置８の放熱部８２をヒートシンクに代え、当該ヒートシンクに冷却空気を送出する冷却ファンを更に設ける構成としてもよい。また、吸熱器６１と熱交換装置８の受熱部８１とをヒートパイプ等の熱伝導部材によって接続する等により、第１循環流路を省略した構成としてもよい。すなわち、冷却装置４は、必ずしも第１循環流路及び第２循環流路のそれぞれを有する構成でなくてもよく、一方のみを有する構成でもよい。
更に、第１循環流路を構成する吸熱装置６及び第２循環流路を構成する放熱装置７の構成は、上記に限らない。例えば、吸熱装置６の吸熱器６１とタンク６２との間に、放熱器７３と同様の放熱器を設ける構成としてもよい。
【００６１】
上記実施形態では、タンク６２は、鉛直方向上側の位置に、流通管６４１を流通した第１液体が流入する流入口６２１を有する他、鉛直方向下側の位置に、内部に貯留された第１液体を流通管６４２に流出する流出口６２２を有するとした。しかしながら、本発明はこれに限らない。流通管６４２及び流出口６２２を鉛直方向上側の位置に配置し、流出口６２２からタンク６２内の底面近傍まで延出する流通管を設けた構成としてもよい。タンク７１においても同様である。
【００６２】
上記実施形態では、各循環流路への冷却液体の供給時には、排出部ＣＮ１及び供給部ＣＮ２に液体供給装置ＬＡが接続されるとした。しかしながら、本発明はこれに限らない。例えば、供給部ＣＮ２にのみ液体供給装置ＬＡが接続され、排出部ＣＮ１には、冷却液体の廃棄容器等の他の部材が接続されてもよい。更に、液体供給装置ＬＡは、ポンプの駆動によって循環流路に冷却液体を供給可能であれば、内部に当該冷却液体が貯留されたタンクやカートリッジでもよい。また、排出部ＣＮ１は、少なくとも循環流路内の空気を排出可能であれば、冷却液体を排出できなくてもよい。
【００６３】
上記実施形態では、接続部ＣＮにおける供給部ＣＮ２には、フィルターＣＮ２２が設けられ、当該フィルターＣＮ２２及び供給口ＣＮ２１を介して、冷却液体が循環流路に供給されるとした。しかしながら、本発明はこれに限らない。例えば、フィルターは、液体供給装置ＬＡに設けられていてもよい。また、未使用の冷却液体が供給される場合等には、フィルターＣＮ２２は無くてもよい。
【００６４】
上記実施形態では、接続部ＣＮは、通常動作時においてポンプ６３に対して第１液体及び第２液体の流路における下流側で、かつ、ポンプ６３の逆回転時の第１液体及び第２液体の流路における上流側に設けられる流通管６４３，７４３に位置するとした。しかしながら、本発明はこれに限らない。すなわち、接続部ＣＮは、他の流通管に位置していてもよい。また、第１循環流路及び第２循環流路における上記構成の配置順も適宜変更可能である。更に、接続部ＣＮは、流通管同士の繋目に設けられていてもよい。
【００６５】
上記実施形態では、吸熱器６１は、密閉筐体５１内に配置された冷却対象を冷却した冷却空気から吸熱して、当該冷却空気の熱を冷却液体である第１液体に伝導することにより、冷却対象の熱を間接的に第１液体に伝導する構成であった。しかしながら、本発明はこれに限らない。例えば、冷却対象に熱伝導可能に接続され、流入される第１液体に、冷却対象から伝導された熱を伝導する伝導部を第１伝導部として採用してもよい。すなわち、冷却対象の熱は、第１伝導部に対して直接伝導される構成に限らず、間接的に伝導される構成でもよい。このため、上記のように、第１循環流路上に位置する吸熱器６１だけでなく、第２循環流路上に位置する上記熱交換装置８の放熱部８２も、本発明の第１伝導部として機能する。
【００６６】
上記実施形態では、第２循環流路において第２伝導部として機能する放熱器７３は、内部を流通する第２液体から吸熱して当該第２液体を冷却するとともに、冷却ファン７５から流通される冷却空気によって冷却される構成とした。しかしながら、本発明はこれに限らない。例えば、伝導された熱を、空気や液体の他、他の部材に伝導できれば、本発明の第２伝導部として採用可能である。このため、上記のように、第２循環流路上に位置する放熱器７３だけでなく、第１循環流路上に位置する上記熱交換装置８の受熱部８１も、本発明の第２伝導部として機能する。
【００６７】
上記実施形態では、冷却対象として、偏光変換素子３２５及び電気光学装置３４を挙げた。しかしながら、本発明はこれに限らない。例えば、偏光変換素子３２５及び電気光学装置３４の一方のみでもよい。また、冷却対象として、光源装置を採用してもよく、他の光学部品を採用してもよい。
また、上記実施形態では、冷却空気の循環流路において、吸熱器６１に近い上流側に電気光学装置３４を配置し、下流側に偏光変換素子３２５を配置した。しかしながら、これに限らず、当該循環流路において、逆に配置されてもよく、これらが並列に配置されてもよい。他の冷却対象が採用される場合も同様である。
【００６８】
上記実施形態では、冷却装置４は、密閉空間Ｓ内の冷却空気を循環させて、当該密閉空間Ｓ内に配置された冷却対象を冷却する循環冷却装置５を備える構成とした。しかしながら、本発明はこれに限らない。例えば、密閉空間Ｓ内に空気以外の気体（窒素ガスやヘリウムガス等）を充填し、これを循環させて冷却対象を冷却してもよい。また、冷却対象は、密閉空間Ｓ内に配置されていなくてもよく、上記のように、冷却対象の熱が冷却液体に伝導可能であればよい。このため、循環冷却装置５は無くてもよい。
【００６９】
上記実施形態では、プロジェクター１は、３つの液晶パネル３４１（３４１Ｒ，３４１Ｇ，３４１Ｂ）を備えるとした。しかしながら、本発明はこれに限らない。すなわち、２つ以下、あるいは、４つ以上の液晶パネルを用いたプロジェクターにも、本発明を適用可能である。
また、画像形成装置３の形状も上記形状に限らず、平面視略Ｌ字形状や平面視略Ｕ字形状を有した構成を採用してもよく、他の構成を備えていてもよい。
更に、光変調装置として採用される液晶パネル３４１は、透過型でも反射型でもよく、或いは、マイクロミラーを用いたデバイス、例えば、ＤＭＤ（Digital Micromirror Device）等を利用したものなど、液晶以外の光変調装置を用いてもよい。
【００７０】
上記実施形態では、照明装置３１は、それぞれ光源ランプ３１１及びリフレクター３１２を有する２つの光源装置３１Ａ，３１Ｂを備える構成とした。しかしながら、本発明はこれに限らない。すなわち、光源装置の数は１つでもよく、３以上でもよい。また、光源装置として、ＬＥＤ（Light Emitting Diode）やＬＤ（Laser Diode）等の固体光源を有する構成としてもよい。この場合、ＬＤから出射される励起光により励起されて蛍光を出射する蛍光体を有する構成としてもよい。
【符号の説明】
【００７１】
１…プロジェクター、４，４Ａ…冷却装置、３２５…偏光変換素子（冷却対象）、３４…電気光学装置（冷却対象）、６１…吸熱部（第１伝導部）、６２，７１…タンク（貯留部）、６３，７２…ポンプ（圧送部）、６４（６４１〜６４４），７４（７４１〜７４４）…流通管、７３…放熱器（第２伝導部）、８１…受熱部（第２伝導部）、８２…放熱部（第１伝導部）、ＣＮ１…排出部、ＣＮ２…供給部、ＣＮ２２…フィルター。
【図１】
2016200655.tif 000003
【図２】
2016200655.tif 000004
【図３】
2016200655.tif 000005
【図４】
2016200655.tif 000006
【図５】
2016200655.tif 000007
【図６】
2016200655.tif 000008
【図７】
2016200655.tif 000009
【図８】
2016200655.tif 000010